【手続補正書】
【提出日】平成18年6月6日(2006.6.6)
【手続補正１】
【補正対象書類名】明細書
【補正対象項目名】０００８
【補正方法】変更
【補正の内容】
【０００８】
この場合、最小二乗法の構造上、度数の多い部分、つまりダイナミックレンジの小さな部分での誤差を小さくしようとする係数データが作成される。そのため、度数の少ない、ダイナミックレンジの大きな部分では、推定式によって算出されたＨＤ信号を構成する画素データの真値からの誤差が大きくなるという傾向があった。
【手続補正２】
【補正対象書類名】明細書
【補正対象項目名】００１７
【補正方法】変更
【補正の内容】
【００１７】
また、このクラスタップに含まれる複数個の情報データの最大値および最小値の差分であるダイナミックレンジが検出され、このダイナミックレンジがその取り得る範囲を複数に分割して得られた各分割範囲のいずれに属するかを示す範囲情報が得られる。例えば、ダイナミックレンジが閾値より小さいか、あるいはこの閾値以上であるかを示す範囲情報が得られる。
【手続補正３】
【補正対象書類名】明細書
【補正対象項目名】００３７
【補正方法】変更
【補正の内容】
【００３７】
また、このクラスタップに含まれる複数個の情報データの最大値および最小値の差分であるダイナミックレンジが検出され、このダイナミックレンジがその取り得る範囲を複数に分割して得られた各分割範囲のいずれに属するかを示す範囲情報が得られる。例えば、ダイナミックレンジが閾値より小さいか、あるいはこの閾値以上であるかを示す範囲情報が得られる。
【手続補正４】
【補正対象書類名】明細書
【補正対象項目名】００５１
【補正方法】変更
【補正の内容】
【００５１】
また、このクラスタップに含まれる複数個の情報データの最大値および最小値の差分であるダイナミックレンジが検出され、このダイナミックレンジがその取り得る範囲を複数に分割して得られた各分割範囲のいずれに属するかを示す範囲情報が得られる。例えば、ダイナミックレンジが閾値より小さいか、あるいはこの閾値以上であるかを示す範囲情報が得られる。
【手続補正５】
【補正対象書類名】明細書
【補正対象項目名】００５５
【補正方法】変更
【補正の内容】
【００５５】
この発明に係るルックアップテーブル生成装置は、複数個の情報データからなる第１の情報信号を、複数個の情報データからなる第２の情報信号に変換する際に使用される、第１のクラスコードおよび第２のクラスコードの対応関係を生成する装置であって、第１の情報信号に対応する生徒信号に基づいて、この生徒信号における着目位置の周辺に位置する複数個の情報データをクラスタップとして抽出するクラスタップ抽出手段と、このクラスタップ抽出手段で抽出されたクラスタップに基づいて、このクラスタップを複数のクラスタップのうちのいずれかのクラスに分類してクラスコードを得るクラス分類手段と、クラスタップ抽出手段で抽出されたクラスタップに基づいて、このクラスタップに含まれる複数個の情報データの最大値と最小値との差分であるダイナミックレンジを検出し、このダイナミックレンジがその取り得る範囲を複数に分割して得られた各分割範囲のいずれに属するかを示す範囲情報を得るダイナミックレンジ処理手段と、生徒信号に基づいて、この生徒信号における着目位置の周辺に位置する複数個の情報データを予測タップとして抽出する予測タップ抽出手段と、クラス分類手段で得られたクラスコードに対応したクラスにおける推定式で用いられる係数データを発生する第１の係数データ発生手段と、第１の係数データ発生手段で発生された係数データおよび予測タップ抽出手段で抽出された予測タップを用い、推定式に基づいて、生徒信号における着目位置に対応した情報データを算出して得る予測演算手段と、複数のクラスにおける推定式で用いられる係数データを発生する第２の係数データ発生手段と、この第２の係数データ発生手段で発生された各クラスの係数データおよび予測タップ抽出手段で抽出された予測タップを用い、推定式に基づいて、クラス毎に、生徒信号における着目位置に対応した情報データを算出して得る全クラス予測演算手段と、第２の情報信号に対応する教師信号に基づいて、生徒信号における着目位置に対応した情報データを教師データとして抽出する教師データ抽出手段と、この教師データ抽出手段で抽出された教師データに対する予測演算手段で得られた情報データの誤差を計算する誤差計算手段と、教師データ抽出手段で抽出された教師データに対する全クラス予測演算手段で得られた各クラスの情報データの誤差を計算する全クラス誤差計算手段と、誤差計算手段で得られた誤差と全クラス誤差計算手段で得られた各クラスの誤差のそれぞれとを加算して各クラスの誤差和を得る誤差加算手段と、ダイナミックレンジ処理手段で得られた範囲情報に基づき、ダイナミックレンジが一の分割範囲とは異なる他の分割範囲に属するとき、誤差加算手段で得られた各クラスの誤差和の大きさに対応した値を、クラス分類手段で得られたクラスコードに対応した入力クラスにおける各出力クラスの累積値にそれぞれ加算する誤差和累積手段と、誤差和累積手段で累積された、入力クラスのそれぞれにおける各出力クラスの累積値に基づいて、入力クラスのそれぞれに累積値が最小となる出力クラスを割り当て、入力クラスに対応した第１のクラスコードおよび出力クラスに対応した第２のクラスコードの対応関係を生成するテーブル生成手段とを備えるものである。そして、第１の係数データ発生手段および第２の係数データ発生手段で発生される係数データは、第１の情報信号に対応した生徒信号と第２の情報信号に対応した教師信号との間で、ダイナミックレンジが一の分割範囲に属する部分のみを用いて学習した結果に基づくものである。
【手続補正６】
【補正対象書類名】明細書
【補正対象項目名】００５６
【補正方法】変更
【補正の内容】
【００５６】
また、この発明に係るルックアップテーブル生成方法は、複数個の情報データからなる第１の情報信号を、複数個の情報データからなる第２の情報信号に変換する際に使用される、第１のクラスコードおよび第２のクラスコードの対応関係を生成する方法であって、第１の情報信号に対応する生徒信号に基づいて、この生徒信号における着目位置の周辺に位置する複数個の情報データをクラスタップとして抽出するクラスタップ抽出工程と、このクラスタップ抽出工程で抽出されたクラスタップに基づいて、このクラスタップを複数のクラスタップのうちのいずれかのクラスに分類してクラスコードを得るクラス分類工程と、クラスタップ抽出工程で抽出されたクラスタップに基づいて、このクラスタップに含まれる複数個の情報データの最大値と最小値との差分であるダイナミックレンジを検出し、このダイナミックレンジがその取り得る範囲を複数に分割して得られた各分割範囲のいずれに属するかを示す範囲情報を得るダイナミックレンジ処理工程と、生徒信号に基づいて、この生徒信号における着目位置の周辺に位置する複数個の情報データを予測タップとして抽出する予測タップ抽出工程と、クラス分類工程で得られたクラスコードに対応したクラスにおける推定式で用いられる係数データを発生する第１の係数データ発生工程と、この第１の係数データ発生工程で発生された係数データおよび予測タップ抽出工程で抽出された予測タップを用い、推定式に基づいて、生徒信号における着目位置に対応した情報データを算出して得る予測演算工程と、複数のクラスにおける推定式で用いられる係数データを発生する第２の係数データ発生工程と、この第２の係数データ発生工程で発生された各クラスの係数データおよび予測タップ抽出工程で抽出された予測タップを用い、推定式に基づいて、クラス毎に、生徒信号における着目位置に対応した情報データを算出して得る全クラス予測演算工程と、第２の情報信号に対応する教師信号に基づいて、生徒信号における着目位置に対応した情報データを教師データとして抽出する教師データ抽出工程と、この教師データ抽出工程で抽出された教師データに対する予測演算工程で得られた情報データの誤差を計算する誤差計算工程と、教師データ抽出工程で抽出された教師データに対する全クラス予測演算工程で得られた各クラスの情報データの誤差を計算する全クラス誤差計算工程と、誤差計算工程で得られた誤差と全クラス誤差計算工程で得られた各クラスの誤差のそれぞれとを加算して各クラスの誤差和を得る誤差加算工程と、ダイナミックレンジ処理工程で得られた範囲情報に基づき、ダイナミックレンジが一の分割範囲とは異なる他の分割範囲に属するとき、誤差加算工程で得られた各クラスの誤差和の大きさに対応した値を、クラス分類工程で得られたクラスコードに対応した入力クラスにおける各出力クラスの累積値にそれぞれ加算する誤差和累積工程と、この誤差和累積工程で累積された、入力クラスのそれぞれにおける各出力クラスの累積値に基づいて、入力クラスのそれぞれに累積値が最小となる出力クラスを割り当て、入力クラスに対応した第１のクラスコードおよび出力クラスに対応した第２のクラスコードの対応関係を生成するテーブル生成工程とを備えるものである。そして、第１の係数データ発生工程および第２の係数データ発生工程で発生される係数データは、第１の情報信号に対応した生徒信号と第２の情報信号に対応した教師信号との間で、ダイナミックレンジが一の分割範囲に属する部分のみを用いて学習した結果に基づくものである。
【手続補正７】
【補正対象書類名】明細書
【補正対象項目名】００６０
【補正方法】変更
【補正の内容】
【００６０】
また、このクラスタップに含まれる複数個の情報データの最大値および最小値の差分であるダイナミックレンジが検出され、このダイナミックレンジがその取り得る範囲を複数に分割して得られた各分割範囲のいずれに属するかを示す範囲情報が得られる。例えば、ダイナミックレンジが閾値より小さいか、あるいはこの閾値以上であるかを示す範囲情報が得られる。
【手続補正８】
【補正対象書類名】明細書
【補正対象項目名】００６１
【補正方法】変更
【補正の内容】
【００６１】
また、生徒信号に基づいて、この生徒信号における着目位置の周辺に位置する複数個の情報データが予測タップとして抽出される。また、上述したようにクラスタップが分類されて得られたクラスコードに対応したクラスにおける推定式で用いられる係数データが発生される。そして、この係数データおよび予測タップが用いられ、推定式に基づいて、生徒信号における着目位置に対応した情報データが算出される。
【手続補正９】
【補正対象書類名】明細書
【補正対象項目名】００６７
【補正方法】変更
【補正の内容】
【００６７】
このように、この発明においては、ダイナミックレンジが一の範囲とは異なる他の範囲に属するとき、第１のクラスコードに対応した係数データを用いて算出される情報データおよび第２のクラスコードに対応した係数データを用いて算出される情報データの加算平均値が、第２の情報信号を構成する情報データの真値に最も近づくように、第１のクラスコードを第２のクラスコードに変換し得る、ルックアップテーブルを良好に生成することができる。
【手続補正１０】
【補正対象書類名】明細書
【補正対象項目名】００９０
【補正方法】変更
【補正の内容】
【００９０】
また、画像信号処理装置１００は、加算器１０９より順次出力される、ＳＤ信号における各着目位置に対応した、ＨＤ信号を構成する４個の画素データｙ1〜ｙ4を線順次化してＨＤ信号を得る後処理回路１１０と、このＨＤ信号が出力される出力端子１１１とを有している。
【手続補正１１】
【補正対象書類名】明細書
【補正対象項目名】０１４９
【補正方法】変更
【補正の内容】
【０１４９】
また、ＬＵＴ生成装置３００は、誤差加算手段および誤差和累積手段としての誤差加算回路３１５と、誤差メモリ３１６とを有している。この誤差加算回路３１５は、予測誤差計算回路３１３で得られた誤差Ｅ(p)と全クラス予測誤差計算回路３１４で得られた誤差Ｅ(q)（ｑ＝１〜Ｎ）のそれぞれとを加算して、各クラスの誤差和（Ｅ(p)＋Ｅ(q)）（ｑ＝１〜Ｎ）を求める。また、この誤差加算回路３１５は、このように求められた各クラスの誤差和の大きさに対応した値を、クラス分類回路３０４で得られたクラスコードＣａに対応した入力クラスにおける各出力クラスの累積値にそれぞれ加算する。
【手続補正１２】
【補正対象書類名】明細書
【補正対象項目名】０１７８
【補正方法】変更
【補正の内容】
【０１７８】
ここで、上述したようにＲＯＭ５０２に制御プログラム等を予め格納しておく代わりに、例えばインターネットなどの通信網５０７より通信部５０８を介してダウンロードし、ハードディスクドライブ５０５やＲＡＭ５０３に格納して使用することもできる。また、これら制御プログラム等をリムーバブル記録媒体で提供するようにしてもよい。
【手続補正１３】
【補正対象書類名】図面
【補正対象項目名】図７
【補正方法】変更
【補正の内容】
【図７】
2004364113.tif 000001
【手続補正１４】
【補正対象書類名】図面
【補正対象項目名】図１９
【補正方法】変更
【補正の内容】
【図１９】
2004364113.tif 000002